(57)【要約】【課題】プリンタ部を有効利用できるタクシーメータ及びタクシーメータシステムを提供する。【解決手段】タクシーメータ２は、プリンタ部３と前記プリンタ部３を制御するタクシー部４とを備え、前記プリンタ部３を制御できる拡張ユニット１０が接続可能に設けられ、前記拡張ユニット１０からの印刷データと前記タクシー部４からの印刷データを選択的に前記プリンタ部３に出力できる。拡張ユニット１０からの印刷データと前記タクシー部４からの印刷データは、通信回線の切り換えを行う回線切換用インターフェース部５によって行う。【選択図】図１
2014092868.tif 000002
【特許請求の範囲】
【請求項１】
プリンタ部と前記プリンタ部を制御するタクシー部とを備えたタクシーメータであって、
前記プリンタ部を制御できる拡張ユニットが接続可能に設けられ、
前記拡張ユニットからの印刷データと前記タクシー部からの印刷データを選択的に前記プリンタ部に出力できることを特徴とするタクシーメータ。
【請求項２】
請求項１記載のタクシーメータであって、
前記拡張ユニットからの印刷データと前記タクシー部からの印刷データは、通信回線の切り換えを行う回線切換用インターフェース部によって行われ、前記回線切換用インターフェース部の制御は、前記タクシー部が行うことを特徴とするタクシーメータ。
【請求項３】
請求項２記載のタクシーメータであって、
前記拡張ユニットは、前記回線切換用インターフェース部が前記拡張ユニットと前記タクシー部のいずれに切り換えられているかを確認できることを特徴とするタクシーメータ。
【請求項４】
プリンタ部と前記プリンタ部を制御するタクシー部とを備えたタクシーメータと、
前記タクシーメータに接続可能に設けられ、前記プリンタ部を制御できる拡張ユニットとを備え、
前記拡張ユニットからの印刷データと前記タクシー部からの印刷データを選択的に前記プリンタ部に出力できることを特徴とするタクシーメータシステム。
【発明の詳細な説明】
【技術分野】
【０００１】
本発明は、プリンタ部を備えたタクシーメータ及びタクシーメータシステムに関する。
【背景技術】
【０００２】
この種のタクシーメータとして、特許文献１に開示されたものがある。このタクシーメータ５０は、図３に示すように、メータ部５１とプリンタ部６０とを備えている。メータ部５１は、料金等を表示する表示部５２と複数の操作ボタン（課金スタート、プリント等）５３とを有する。プリンタ部６０は、プリント用の操作ボタン５３が押下され、プリント要求によって料金等のデータを印刷する。
【先行技術文献】
【特許文献】
【０００３】
【特許文献１】特開２００８−２４６７２７号公報
【発明の概要】
【発明が解決しようとする課題】
【０００４】
ところで、タクシーメータ５０のプリンタ部６０は、メータ部５１の印刷データのみの印刷に利用が限定されているのが実状であった。そのため、タクシーメータ５０のプリンタ部６０を有効活用したいという要請がある。
【０００５】
そこで、本発明は、前記した課題を解決すべくなされたものであり、プリンタ部を有効利用できるタクシーメータ、及び、タクシーメータシステムを提供することを目的とする。
【課題を解決するための手段】
【０００６】
本発明は、プリンタ部と前記プリンタ部を制御するタクシー部とを備えたタクシーメータであって、前記プリンタ部を制御できる拡張ユニットが接続可能に設けられ、前記拡張ユニットからの印刷データと前記タクシー部からの印刷データを選択的に前記プリンタ部に出力できることを特徴とするタクシーメータである。
【０００７】
前記拡張ユニットからの印刷データと前記タクシー部からの印刷データは、通信回線の切り換えを行う回線切換用インターフェース部によって行われ、前記回線切換用インターフェース部の制御は、前記タクシー部が行うものとしても良い。前記拡張ユニットは、前記回線切換用インターフェース部が前記拡張ユニットと前記タクシー部のいずれに切り換えられているかを確認できるようにしても良い。
【０００８】
他の本発明は、プリンタ部と前記プリンタ部を制御するタクシー部とを備えたタクシーメータと、前記タクシーメータに接続可能に設けられ、前記プリンタ部を制御できる拡張ユニットとを備え、前記拡張ユニットからの印刷データと前記タクシー部からの印刷データを選択的に前記プリンタ部に出力できることを特徴とするタクシーメータシステムである。
【発明の効果】
【０００９】
本発明によれば、拡張ユニットからの印刷データをタクシーメータのプリンタ部で印刷できる。従って、タクシーメータのプリンタ部を有効利用できる。拡張ユニットは、タクシー部を経由することなくプリンタ部で印刷データを印刷できるため、タクシー部の印刷用データバッファ容量に左右されず、印刷を実行でき、使い勝手が良い。
【図面の簡単な説明】
【００１０】
【図１】本発明の一実施形態を示し、タクシーメータシステムの概略回路ブロック図である。
【図２】本発明の一実施形態を示し、（ａ）はタクシー部の動作フローチャート、（ｂ）は拡張ユニットの制御フローチャートである。
【図３】従来例のタクシーメータの概略正面図である。
【発明を実施するための形態】
【００１１】
以下、本発明の一実施形態を図面に基づいて説明する。
【００１２】
図１及び図２は本発明の一実施形態を示す。図１に示すように、タクシーメータシステム１は、タクシーメータ２と、このタクシーメータ２に接続される拡張ユニット１０とを備えている。
【００１３】
タクシーメータ２は、プリンタ部（ＰＲ部）３とタクシー部４と回線切換用インターフェース部５と複数の外部接続端子部６とを備えている。プリンタ部３は、タクシー部４又は拡張ユニット１０の制御によって、入力される印刷データの印刷を実行する。タクシー部４は、タクシーの課金データ等を算出し、その算出した課金データ等及び付属データを例えば内部メモリに記憶する。タクシー部４は、印刷要求に基づき記憶した課金データ等及び付属データを印刷データに変換し、印刷データを通信回線Ｃ１より回線切換用インターフェース部５に出力する。タクシー部４は、印刷データの出力時には、プリンタ部３を制御する。又、タクシー部４は、回線切換用インターフェース部５の切り換えを回線切換信号によって行う。
【００１４】
回線切換用インターフェース部５は、タクシー部４からの回線切換信号に基づき、タクシー部４側の通信回線Ｃ１と拡張ユニット１０側の通信回線Ｃ２とを選択的にプリンタ部３に切り換える。
【００１５】
各外部接続端子部６は、回線切換用インターフェース部５の一入力側の通信回線Ｃ２に、タクシー部４の通信回線Ｃ３に、タクシー部４の回線切換信号用の通信回線Ｃ４にそれぞれ接続されている。
【００１６】
拡張ユニット１０は、複数の外部接続端子部６によってタクシーメータ２に接続可能である。複数の外部接続端子部６の接続は、単一のコネクタ接続によって行うことができるようになっている。拡張ユニット１０は、タクシーメータ２に接続されると、タクシー部４との通信を行う通信回線Ｃ１０と、プリンタ部３との通信を行う通信回線Ｃ１１と、回線切換信号を確認するための切換確認用回線Ｃ１２がタクシーメータ２の各通信回線Ｃ３，Ｃ２，Ｃ４にそれぞれ接続される。
【００１７】
拡張ユニット１０には、決算端末（例えばクレジットカード）１１が接続でき、接続された決算端末１１との間でデータの授受ができる。拡張ユニット１０は、決算端末１１からのデータを印刷データに変換し、印刷データを通信回線Ｃ１１より回線切換用インターフェース部５に出力する。拡張ユニット１０は、印刷データの出力時には、プリンタ部３を制御する。つまり、拡張ユニット１０は、タクシー部４を経由せずに直接プリンタ部３を制御できる。
【００１８】
拡張ユニット１０は、タクシー部４との通信回線Ｃ３，Ｃ１０によって、タクシー部４に通信回線Ｃ２への回線切換要求を行うことができる。拡張ユニット１０は、切換確認用回線Ｃ４，Ｃ１２によって回線切換信号の状態を確認することができる。
【００１９】
次に、タクシー部４と拡張ユニット１０の各動作をそれぞれ説明する。タクシー部４は、図２（ａ）に示すように、回線切換用インターフェース部５に通信回線切換信号を出力し、プリンタ部３との通信回線をタクシー部４側にする（ステップＳ１）。そして、タクシー部４への印刷要求を待つ（ステップＳ２）。タクシー部４への印刷要求があれば、プリンタ部３へ印刷データを送信し、プリンタ部３を制御する（ステップＳ３）。これにより、プリンタ部３が印刷動作を実行する。
【００２０】
タクシー部４への印刷要求が無ければ（ステップＳ３）、拡張ユニット１０側からの通信回線切換要求信号があるか否かをチェックする（ステップＳ４）。通信回線切換要求信号が無ければ、ステップ１に戻る。通信回線切換要求信号があれば、回線切換用インターフェース部５に回線切換信号を出力し、プリンタ部３との通信回線を拡張ユニット１０側にする（ステップＳ５）。その後、拡張ユニット１０側からの通信回線切換要求があるか否かを常時チェックする（ステップＳ６）。通信回線切換要求があれば、ステップ１に戻る。
【００２１】
つまり、タクシー部４は、プリンタ部３との通信回線をタクシー部４側として（ステップＳ１）、自らの印刷要求と拡張ユニット１０からの通信回線切換要求を待つ（ステップＳ２，Ｓ３，Ｓ４）。そして、タクシー部４は、印刷要求があれば印刷を行い、自らの印刷動作時以外では、拡張ユニット１０側からの通信回線切換要求を受け入れて回線切換用インターフェース部５の切り換えを制御する。
【００２２】
拡張ユニット１０は、図２（ｂ）に示すように、プリンタ部３への印刷要求があるか否かを常時チェックする（ステップＳ１０）。印刷要求があれば、「プリンタ部３との通信回線を拡張ユニット１０側へ」とする要求をタクシー部４へ送信する（ステップＳ１１）。次に、回線切換信号によって、プリンタ部３との通信回線が拡張ユニット１０側になっているか否かをチェックする（ステップＳ１２）。プリンタ部３との通信回線が拡張ユニット１０側になっていれば、プリンタ部３へ印刷データを送信し、プリンタ部３を制御する（ステップＳ１３）。これにより、プリンタ部３が印刷動作を実行する。
【００２３】
印刷動作が終了すると、「プリンタ部３との通信回線をタクシー部４側へ」とする要求をタクシー部４へ送信する（ステップＳ１３）。その後、ステップＳ１に戻る。
【００２４】
以上説明したように、プリンタ部３とプリンタ部３を制御するタクシー部４とを備えたタクシーメータ２であって、プリンタ部３を制御できる拡張ユニット１０が接続可能に設けられ、拡張ユニット１０からの印刷データとタクシー部４からの印刷データを選択的にプリンタ部３に出力できる。従って、拡張ユニット１０からの印刷データをタクシーメータ２のプリンタ部３で印刷できる。従って、タクシーメータ２のプリンタ部３を有効利用できる。
【００２５】
また、タクシーメータシステム１は、プリンタ部３とプリンタ部３を制御するタクシー部４とを備えたタクシーメータ２と、タクシーメータ２に接続可能に設けられ、プリンタ部３を制御できる拡張ユニット１０とを備え、拡張ユニット１０からの印刷データとタクシー部４からの印刷データを選択的にプリンタ部３に出力できる。従って、タクシーメータシステム１は、上記と同様の理由によって、タクシーメータ２のプリンタ部３を有効利用できる。
【００２６】
拡張ユニット１０は、タクシー部４を経由することなくプリンタ部３で印刷データを印刷できるため、タクシー部４の印刷用データバッファ容量に左右されず、印刷を実行でき、使い勝手が良い。
【００２７】
拡張ユニット１０からの印刷データとタクシー部４からの印刷データは、通信回線Ｃ１，Ｃ２の切り換えを行う回線切換用インターフェース部５によって行われ、回線切換用インターフェース部５の制御は、タクシー部４が行う。従って、タクシー部４は、拡張ユニット１０に対してプリンタ部３の使用について優先権を持つ。例えば、タクシー部４は、自らの印刷動作を制限されない範囲で拡張ユニット１０の印刷使用を容認することができる。
【００２８】
拡張ユニット１０は、回線切換用インターフェース部５が拡張ユニット１０とタクシー部４のいずれの通信回線Ｃ１，Ｃ２に切り換えられているかを確認できる。従って、拡張ユニット１０は、通信回線が拡張ユニット１０側に切り換えられている場合にのみ印刷データを送信できるため、確実に印刷データをプリンタ部３で印刷できる。拡張ユニット１０は、決算端末（例えばクレジットカード）の内蔵データをメモリに記憶しないため、１回での確実な印刷が要求されるが、その要求をタクシーメータ２のプリンタ部３を使って確実に実現できる。
【００２９】
尚、上記実施形態では、タクシーメータ２は、１台の拡張ユニット１０を接続可能に設けられているが、複数台の拡張ユニット１０を接続できるものであっても良い。その場合には、回線切換用インターフェース部５は、タクシー部４と複数台の拡張ユニット１０の通信回線を選択的にプリンタ部３に切り換えできるものとする。
【符号の説明】
【００３０】
１  タクシーメータシステム
２  タクシーメータ
３  プリンタ部
４  タクシー部
５  回線切換用インターフェース部
１０  拡張ユニット
【図１】
2014092868.tif 000003
【図２】
2014092868.tif 000004
【図３】
2014092868.tif 000005